【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
内部記録媒体のオリジナルのコンテンツデータをインターフェースを介して外部記録媒体に転送記録可能であるとともに、送受信部を介してネットワークに接続可能な情報機器を含む情報ネットワークシステムであって、
第１の情報機器において、前記外部記録媒体へのコンテンツデータの移動要求があったときに、前記オリジナルのコンテンツデータを圧縮変換して前記外部記録媒体に転送記録するとともに、前記オリジナルのコンテンツデータを暗号化した上で、その暗号化コンテンツデータを前記内部記録媒体の秘匿エリアに退避し、さらにその暗号化に用いた暗号鍵にかかわる鍵情報を含むコンテンツ管理情報を前記外部記録媒体に転送記録し、その上で前記暗号鍵にかかわる鍵情報を削除し、
第２の情報機器において、前記圧縮変換したコンテンツデータを保持した前記外部記録媒体から前記コンテンツ管理情報を取得し、その取得したコンテンツ管理情報を用いて前記ネットワークを検索し、前記コンテンツ管理情報に該当する暗号化コンテンツデータを保持している前記第１の情報機器が見つかったときに、前記第１の情報機器からその暗号化コンテンツデータを前記ネットワークを介して取得し、前記コンテンツ管理情報に含まれる前記暗号鍵を用いて、前記ネットワークを介して取得した前記暗号化コンテンツデータを復号化る情報ネットワークシステム。
【請求項２】
前記第１の情報機器において、前記外部記録媒体へのコンテンツデータの移動要求があったときに行われる機能は、前記データ移動要求があったときに前記外部記録媒体との間で相互認証を行い、その認証結果が成功を示すときに限って、有効化されるように構成されている請求項１に記載の情報ネットワークシステム。
【請求項３】
前記第２の情報機器において、前記暗号化コンテンツデータを保持している前記第１の情報機器が前記ネットワークに見つかったとき行われる機能は、前記第１の情報機器との間で相互認証を行い、その認証結果が成功を示すときに限って、有効化されるように構成されている請求項１または請求項２に記載の情報ネットワークシステム。
【請求項４】
前記第１の情報機器での前記オリジナルのコンテンツデータの暗号化に際して、あらかじめ前記暗号鍵にかかわる鍵情報を生成し、その生成した暗号鍵を用いて前記オリジナルのコンテンツデータの暗号化を行うように構成されている請求項１から請求項３までのいずれかに記載の情報ネットワークシステム。
【請求項５】
前記コンテンツ管理情報は、前記暗号鍵にかかわる鍵情報のほか、暗号化コンテンツデータにかかわるタイトル情報、暗号化されたときの時刻情報を含んでいる請求項１から請求項４までのいずれかに記載の情報ネットワークシステム。
【請求項６】
前記秘匿エリアに格納された前記暗号化コンテンツデータを時間管理し、アクセス頻度が低い暗号化コンテンツデータを優先的に自動削除する機能を備えた請求項１から請求項５までのいずれかに記載の情報ネットワークシステム。
【請求項７】
前記コンテンツ管理情報の前記外部記録媒体への転送記録は、前記外部記録媒体内のプロテクトエリアに対して行われるように構成されている請求項１から請求項６までのいずれかに記載の情報ネットワークシステム。
【請求項８】
前記第１の情報機器において、前記コンテンツ管理情報は削除せず前記内部記録媒体に確保された秘匿エリアで管理するように構成されている請求項１から請求項７までのいずれかに記載の情報ネットワークシステム。
【請求項９】
前記秘匿エリアに格納された前記コンテンツ管理情報を時間管理し、アクセス頻度が低いコンテンツ管理情報を優先的に自動削除する機能を備えた請求項８に記載の情報ネットワークシステム。
【請求項１０】
第２の情報機器がネットワークを介して第１の情報機器に対してデータ移動要求したとき、第１の情報機器は移動要求対象のコンテンツデータを暗号化し、その暗号化に用いた暗号鍵にかかわる鍵情報を含むコンテンツ管理情報を生成し、前記暗号化コンテンツデータを前記コンテンツ管理情報とともに前記ネットワークを介して前記第２の情報機器に対して転送し、
前記第２の情報機器は、取得した前記コンテンツ管理情報に含まれる鍵情報内の前記暗号鍵を取得し、この暗号鍵を用いて前記ネットワークを介して取得した前記暗号化コンテンツデータの復号化を行い、
前記第１の情報機器は、前記暗号化コンテンツデータを秘匿エリアに退避し、前記コンテンツ管理情報から前記暗号鍵にかかわる鍵情報を削除の上、前記コンテンツ管理情報を前記秘匿エリアに格納するように構成されている情報ネットワークシステム。
【請求項１１】
請求項１０に記載の情報ネットワークシステムにおいて、さらに、
前記第１の情報機器が前記ネットワークを介して前記第２の情報機器に対して移動要求したときに、前記第２の情報機器は、前記ネットワークを介して前記第１の情報機器に対して前記暗号鍵にかかわる鍵情報を除く前記コンテンツ管理情報を送信するとともに、前記第１の情報機器の前記秘匿エリアに前記暗号化コンテンツデータが存在するか否かの確認を要求し、
前記第１の情報機器は、受信した前記コンテンツ管理情報を用いて自機の前記秘匿エリアに前記暗号化コンテンツデータが存在するかを確認し、存在するときはその旨を前記ネットワークを介して前記第２の情報機器に応答し、
前記応答を受信した前記第２の情報機器は、前記第１の情報機器に対して前記暗号化コンテンツデータの復号の命令を前記ネットワークを介して送信し、対象のコンテンツデータを暗号化し、前記暗号化コンテンツデータを秘匿エリアに退避し、その暗号化に用いた暗号鍵にかかわる鍵情報を前記ネットワークを介して前記第１の情報機器に送信し、前記コンテンツ管理情報から前記暗号鍵にかかわる鍵情報を削除の上、前記コンテンツ管理情報を前記秘匿エリアに格納し、
前記暗号鍵を受信した前記第１の情報機器は、前記復号の命令に従って自機の前記秘匿エリアから前記暗号化コンテンツデータを読み出し前記取得した前記暗号鍵を用いて復号化するように構成されている情報ネットワークシステム。
【請求項１２】
コンテンツデータを格納するための内部記録媒体と、
前記内部記録媒体に対して前記コンテンツデータの記録再生を行う録再部と、
外部記録媒体との間でデータのやり取りを行うインターフェースと、
ネットワークとの間でデータの送受信を行う送受信部と、
前記録再部、前記インターフェースおよび前記送受信部に対する制御を司る制御部とを備え、
前記制御部は、
前記外部記録媒体へのコンテンツデータの移動要求があったときに、前記録再部を制御して前記内部記録媒体から前記オリジナルのコンテンツデータを読み出し圧縮変換する手段と、
前記圧縮変換コンテンツデータを前記インターフェースを介して前記外部記録媒体に転送記録する手段と、
前記オリジナルのコンテンツデータを暗号化する手段と、
前記暗号化コンテンツデータを前記内部記録媒体の秘匿エリアに退避する手段と、
さらにその暗号化に用いた暗号鍵にかかわる鍵情報を含むコンテンツ管理情報を前記インターフェースを介して前記外部記録媒体に転送記録する手段と、
前記暗号鍵にかかわる鍵情報を削除する手段と、
前記圧縮変換コンテンツデータを保持した前記外部記録媒体から前記コンテンツ管理情報を取得し、そのコンテンツ管理情報を用いて前記送受信部を介して前記ネットワークを検索する手段と、
前記ネットワーク検索により前記コンテンツ管理情報に該当する暗号化コンテンツデータを保持している他の情報機器が見つかったときに、前記他の情報機器からその暗号化コンテンツデータを前記ネットワークを介して取得する手段と、
前記コンテンツ管理情報に含まれる前記暗号鍵を用いて、前記ネットワークを介して取得した前記暗号化コンテンツデータを復号化する手段とを備えて構成されている情報機器。
【請求項１３】
コンテンツデータを格納するための内部記録媒体と、
前記内部記録媒体に対して前記コンテンツデータの記録再生を行う録再部と、
外部記録媒体との間でデータのやり取りを行うインターフェースと、
前記録再部、前記インターフェースに対する制御を司る制御部とを備え、
前記制御部は、
前記外部記録媒体へのコンテンツデータの移動要求があったときに、前記録再部を制御して前記内部記録媒体から前記オリジナルのコンテンツデータを読み出し圧縮変換する手段と、
前記圧縮変換コンテンツデータを前記インターフェースを介して前記外部記録媒体に転送記録する手段と、
前記オリジナルのコンテンツデータをユーザーがアクセスできないように変換する手段と、
前記外部記録媒体から前記内部記録媒体への前記圧縮変換コンテンツデータの移動要求があったときに、前記ユーザーからアクセスできないように変換されていたコンテンツを、再びユーザーからアクセスできる状態へと復帰させる手段とを備えて構成されている情報機器。
【手続補正２】
【補正対象書類名】明細書
【補正対象項目名】００２４
【補正方法】変更
【補正の内容】
【００２４】
上記の構成によれば、ネットワークを介しての暗号化コンテンツデータの転送の必要性をなくし、コンテンツ管理情報の転送で済ませることができ、高速処理が可能となる。
また、本発明による情報機器は、
コンテンツデータを格納するための内部記録媒体と、
前記内部記録媒体に対して前記コンテンツデータの記録再生を行う録再部と、
外部記録媒体との間でデータのやり取りを行うインターフェースと、
前記録再部、前記インターフェースに対する制御を司る制御部とを備え、
前記制御部は、
前記外部記録媒体へのコンテンツデータの移動要求があったときに、前記録再部を制御して前記内部記録媒体から前記オリジナルのコンテンツデータを読み出し圧縮変換する手段と、
前記圧縮変換コンテンツデータを前記インターフェースを介して前記外部記録媒体に転送記録する手段と、
前記オリジナルのコンテンツデータをユーザーがアクセスできないように変換する手段と、
前記外部記録媒体から前記内部記録媒体への前記圧縮変換コンテンツデータの移動要求があったときに、前記ユーザーからアクセスできないように変換されていたコンテンツを、再びユーザーからアクセスできる状態へと復帰させる手段とを備えて構成されている。
［発明の効果］